(57)【要約】【課題】巻装対象となるシート状物の幅に即応してリールのフランジ部の内法寸法を調整可能とすることを課題とする。【解決手段】左右一対のフランジ体１Ａ，１Ｂを備え、これらフランジ体は、円盤状をなすフランジ部２Ａ，２Ｂと、これらフランジ部の対向面にそれぞれ同心状に一体的に設けられた同径の巻芯３，６と、一方の巻芯３の先端部に同心的に突設された雄ネジ軸５と、他方の巻芯６に設けられ前記雄ネジ軸が螺挿される雌ネジ孔８と、前記雄ネジ軸に螺合されたロックナット９とを有し、前記雄ネジ軸を前記雌ネジ孔に螺挿してフランジ部間の間隔を調整したのち前記ロックナットを締結して固定するようにしたことにある。【選択図】図２
0003153335.tif 000002
【実用新案登録請求の範囲】
【請求項１】
左右一対のフランジ体を備え、これらフランジ体は、円盤状をなすフランジ部と、これらフランジ部の対向面にそれぞれ同心状に一体的に設けられた同径の巻芯と、一方の巻芯の先端部に同心的に突設された雄ネジ軸と、他方の巻芯の先端部に設けられ前記雄ネジ軸が螺挿される雌ネジ孔と、前記雄ネジ軸に螺合されたロックナットとを有し、前記雄ネジ軸を前記雌ネジ孔に螺挿してフランジ部間の間隔を調整したのち前記ロックナットを締結して固定するようになされていることを特徴とするシート状物巻装用リール。
【請求項２】
前記ロックナットは、前記巻芯の外径と同径乃至は小径とされている請求項１記載のシート状物巻装用リール。
【請求項３】
前記巻芯は中空円筒体で構成されていて、その基端が前記フランジ部にビスにより固着され、一方の巻芯の先端面に前記雄ネジ軸が突設され、他方の巻芯の先端面に前記雌ネジ孔が形成されている請求項１または２記載のシート状物巻装用リール。
【請求項４】
前記フランジ部間の間隔は８０〜５００ｍｍの範囲内で可調整とされている請求項１〜３のいずれか１項記載のシート状物巻装用リール。
【請求項５】
前記フランジ部は、板厚１０〜１５ｍｍ、外径８００〜１０００ｍｍとされている請求項１〜４のいずれか１項記載のシート状物巻装用リール。
【請求項６】
前記フランジ部は、木材乃至は樹脂材により形成されている請求項１〜５のいずれか１項記載のシート状物巻装用リール。
【請求項７】
前記シート状物が、おむつ、ナプキン、トイレットペーパーロール等の商品包装用に連続状をなしているパッケージである請求項１〜６のいずれか１項記載のシート状物巻装用リール。
【考案の詳細な説明】
【技術分野】
【０００１】
本考案は長尺のシート状物を巻装するシート状物巻装用リールに関する。
【背景技術】
【０００２】
例えば紙おむつを販売形態に包装するための「おむつパッケージ」やナプキン用の「ナプキンパッケージ」、トイレットペーパー用の「トイレットロールパッケージ」など、プラスチックフィルムにより一連に連なる帯状に形成されるこれらパッケージ（図４に例示）を取り扱う設備において、これらパッケージａをリールに巻装し、おむつやナプキン等の内容物を順次詰納する工程時にリールから巻き出しつつ内容物を詰納して１袋ずつに裁断し、封着して市場に供給する商品形態とするようになされている。
【０００３】
上記の帯状のパッケージａのような長尺のシート状物を巻装するためのリールは、従来その対象となるパッケージａの幅ｂに対応するフランジ間の内法寸法に予め形成された固定構造であり、そのため取り扱うパッケージａの専用品となっている。
【０００４】
したがって巻装するパッケージａの種類が変更されその幅ｂが異るものとなると、リールもその幅ｂに対応する内法寸法のものを用いることになる。そのためそれぞれ幅の異るパッケージａの種類に対応するリールを準備しておく必要があり、不用となったリールは廃棄処理することと相俣って勢いコストアップに繋がることになっていた。
【０００５】
さりとて左右のフランジ間の間隔を可調整とすることも考えられる。それにはリールの巻軸を分割してテレスコピック状に入れこ式に嵌合して伸縮可能な構造とすればよいが、これによると巻軸を構成する外筒と内筒とで外径が異ることになり、外筒と内筒との重なり目に段差が生じ、パッケージａを巻装したとき左右で太さに差が生じて好ましからざるものとなる。
【０００６】
また仮に上記の点を無視したとしても、左右のフランジ間の間隔を定めた状態で固定する手段が難しく、それ故フランジ間の間隔を可調整としたリールは未だ提供されてはいない現状におかれている。
【先行技術文献】
【特許文献】
【０００７】
【特許文献１】特開２００２−３１６７７２号公報
【特許文献２】特開平０３−２８９４９７号公報
【考案の概要】
【考案が解決しようとする課題】
【０００８】
本考案はこれに鑑み、巻装対象となる帯状のシート状物の幅に即応して左右のフランジ部間の間隔を迅速に調整可能とし、シート状物の変更時にその幅に対応するリールを新規に製作する必要をなくし、コストアップに繋がることがなく、しかもシート状物を巻装したとき均一な太さに巻き付けることができるシート状物巻装用リールを提供することを課題としてなされたものである。
【課題を解決するための手段】
【０００９】
上記課題を解決する手段として本考案は、左右一対のフランジ体を備え、これらフランジ体は、円盤状をなすフランジ部と、これらフランジ部の対向面にそれぞれ同心状に一体的に設けられた同径の巻芯と、一方の巻芯の先端部に同心的に突設された雄ネジ軸と、他方の巻芯の先端部に設けられ前記雄ネジ軸が螺挿される雌ネジ孔と、前記雄ネジ軸に螺合されたロックナットとを有し、前記雄ネジ軸を前記雌ネジ孔に螺挿してフランジ部間の間隔を調整したのち前記ロックナットを締結して固定するようにしたことにある。
【００１０】
前記ロックナットは、前記巻芯の外径より大きくない外径とされている。
【００１１】
前記巻芯を中空円筒体で構成してその基端を前記フランジ部にビスにより固定し、一方の巻芯の先端面に前記雄ネジ軸を、他方の巻芯の先端部に前記雌ネジ孔をそれぞれ設けるようにすることが軽量化のうえで好ましい。
【００１２】
前記フランジ部間の間隔は８０〜５００ｍｍの範囲内で可調整とすることが望ましく、またフランジ部の板厚は１０〜１５ｍｍ、外径は８００〜１０００ｍｍの範囲とされる。
【００１３】
上記リールに巻装するシート状物としては、おむつ、ナプキン、トイレットペーパーロール等の包装材であるパッケージ用とすることが最適であるが、他に類似のシート状物に適用することは任意である。
【考案の効果】
【００１４】
本考案によれば、巻装すべきシート状物の幅の如何によりリールのフランジ部間の間隔をシート状物の幅に適合する間隔に調整して使用することができるので、その都度使用済みのリールを廃棄したり新たなリールを準備調達したりする必要がなく、コスト的にきわめて有利なものとすることができる。
【００１５】
またフランジ部間の間隔調整には、ロックナットを緩め、一方のフランジ体を他方のフランジ体に対し相対的に回転させて雄ネジ軸と雌ネジ軸との螺合深さを調整するだけで間隔の設定ができ、間隔設定後ロックナットを締結すれば両フランジ体は強固に一体化され、シート状物の巻装に即刻対応することができる。
【００１６】
上記間隔調整には約２０秒〜３０秒程度の短時間で完了することができるので作業全般に影響を与えることなく迅速に対処することができる。
【００１７】
さらに各巻芯を中空円筒体で構成すれば、リール自体の軽量化を図ることができ、取り扱いを便ならしめることができる。
【図面の簡単な説明】
【００１８】
【図１】本考案によるシート状物巻装用リールの一実施形態を示す分解斜視図。
【図２】同、組立てた状態を示し、（Ａ）はフランジ部間の間隔を最大にした状態を、（Ｂ）は同最小にした状態を示す一部を断面表示した正面図。
【図３】シート状物を巻装した状態を示す説明図。
【図４】シート状物の一例を示す一部の平面図。
【考案を実施するための形態】
【００１９】
図１は本考案によるシート状物巻装用リールの一実施形態の分解斜視図を示し、図２（Ａ），（Ｂ）は作用状態を示す一部を断面とした正面図で、左右一対のフランジ体１Ａ，１Ｂを備えており、これらフランジ体１Ａ，１Ｂは円盤状のフランジ部２Ａ，２Ｂを有し、一方のフランジ部２Ａの対向面には同心状に中空円筒状の巻芯３がビス４，４により固着されて一体的に突設され、その巻芯３の先端面にはこれより小径の雄ネジ軸５が同心的に突設されている。
【００２０】
他方のフランジ体１Ｂのフランジ部２Ｂの対向面には、前記巻芯３と同径の中空円筒状の巻芯６がビス７，７により固着されて一体的に突設され、この巻芯６の先端面には前記雄ネジ軸５が螺挿される雌ネジが刻設された雌ネジ孔８形成されている。
【００２１】
前記雄ネジ軸５にはロックナット９が螺合されており、前記雄ネジ軸５を前記雌ネジ孔８に螺挿したのち前記ロックナット９を回動して巻芯６の先端面６ａに圧接するよう締結することにより両フランジ体１Ａ，１Ｂのフランジ部２Ａ，２Ｂ間の間隔が確実強固に保たれるようになっている。
【００２２】
前記ロックナット９は巻芯３，６の外径と同径乃至はこれより小径とされており、両巻芯３，６に跨って図４のようなシート状物（パッケージａ）を巻きつけたとき図３にみられるようにロックナット９が障害になることはない。
【００２３】
シート状物がおしめ用、ナプキン用、トイレットペーパーロール用のパッケージａを巻装する対象用とするときは、前記フランジ部２Ａ，２Ｂ間の間隔は８０〜５００ｍｍの範囲内で調整可能とされる。またフランジ部２Ａ，２Ｂの外径は８００〜１０００ｍｍ、板厚は１０〜１５ｍｍとされる。さらにこれらフランジ部２Ａ，２Ｂは木材からなる板材、樹脂材からなる板材等を採用することができる。
【００２４】
したがってフランジ幅を調整するに際しては、ロックナット９を緩め、左右のフランジ体１Ａ，１Ｂを相対的に回動させ、雄ネジ軸５が進入する方向に回動させればフランジ部２Ａ，２Ｂ間の間隔は狭くなり、逆に抜け出る方向に回動させればフランジ部２Ａ，２Ｂ間の間隔は広くなる。
【００２５】
フランジ部２Ａ，２Ｂ間の間隔が所定の幅になったときロックナット９を締め付けて雌ネジ孔８側の巻芯６の端面６ａに厚接させれば、左右のフランジ体１Ａ，１Ｂは相互に不動状態に固定され、その間隔に適合するシート状物を巻装することができる。
【００２６】
ちなみに図２（Ａ）にフランジ幅を最大幅（巻芯３，６の端面間の距離Ａ）とした状態を、図２（Ｂ）に同最小幅（同Ｂ）とした状態を示しているが、いずれにおいても左右のフランジ体１Ａ，１Ｂの巻芯３，６は同じ外径であるから図３にみられるようにこれら巻芯３，６に跨って巻きつけられるシート状物に段差を生じることがなく、きっちりと高密度に巻きつけることができる。
【００２７】
また巻芯３と６との間にロックナット９が存在していてもこのロックナット９の外径は巻芯３，６の外径と同径乃至は小径であるからシート状物の巻きつけに支障をきたすことはない。
【符号の説明】
【００２８】
１Ａ，１Ｂ  フランジ体
２Ａ，２Ｂ  フランジ部
３，６      巻芯
５          雄ネジ軸
８          雌ネジ孔
９          ロックナット
【図１】
0003153335.tif 000003
【図２】
0003153335.tif 000004
【図３】
0003153335.tif 000005
【図４】
0003153335.tif 000006
【手続補正書】
【提出日】平成21年6月29日(2009.6.29)
【手続補正１】
【補正対象書類名】実用新案登録請求の範囲
【補正対象項目名】全文
【補正方法】変更
【補正の内容】
【実用新案登録請求の範囲】
【請求項１】
シート状物を巻装するシート状物巻装用リールであって、左右一対のフランジ体を備え、これらフランジ体は、円盤状をなすフランジ部と、これらフランジ部の対向面にそれぞれ同心状に一体的に設けられた同径の巻芯と、一方の巻芯の先端部に同心的に突設された雄ネジ軸と、他方の巻芯の先端部に設けられ前記雄ネジ軸が螺挿される雌ネジ孔と、前記雄ネジ軸に螺合されたロックナットとを有し、前記雄ネジ軸を前記雌ネジ孔に螺挿してフランジ部間の間隔を調整したのち前記ロックナットを締結して固定するようになされていることを特徴とするシート状物巻装用リール。
【請求項２】
前記ロックナットは、前記巻芯の外径と同径乃至は小径とされている請求項１記載のシート状物巻装用リール。
【請求項３】
前記巻芯は中空円筒体で構成されていて、その基端が前記フランジ部にビスにより固着され、一方の巻芯の先端面に前記雄ネジ軸が突設され、他方の巻芯の先端面に前記雌ネジ孔が形成されている請求項１または２記載のシート状物巻装用リール。
【請求項４】
前記フランジ部間の間隔は８０〜５００ｍｍの範囲内で可調整とされている請求項１〜３のいずれか１項記載のシート状物巻装用リール。
【請求項５】
前記フランジ部は、板厚１０〜１５ｍｍ、外径８００〜１０００ｍｍとされている請求項１〜４のいずれか１項記載のシート状物巻装用リール。
【請求項６】
前記フランジ部は、木材乃至は樹脂材により形成されている請求項１〜５のいずれか１項記載のシート状物巻装用リール。
【請求項７】
前記シート状物が、おむつ、ナプキン、トイレットペーパーロール等の商品包装用に連続状をなしているパッケージである請求項１〜６のいずれか１項記載のシート状物巻装用リール。